(57)【特許請求の範囲】
【請求項１】
画像入力装置から入力された画像信号に対して色バランス調整を行う色バランス調整処理手段と、光源色度データを保持する光源色度データ保持手段を有する画像処理装置において、前記色バランス調整処理手段は、前記画像信号の画像取得時における照明光源の色度を該画像信号から推定し、推定した前記照明光源の色度が前記光源色度データ保持手段に保持されているか否かを確認することで色バランス調整が可能か否かを判定し、色バランス調整が可能であると判定した場合に、推定された前記照明光源の色度に基づいて前記画像信号に対して色バランス調整を行うとともに各画像出力装置に応じた色バランス調整を行って画像出力装置に出力し、いずれの画像出力装置において出力された画像も“見え”を同じにすることを特徴とする画像処理装置。
【請求項２】
前記色バランス調整処理手段は、出力する画像信号の所望の観察条件下での色の“見え”に一致させるように入力された前記画像信号に対して色バランス調整を行うことを特徴とする請求項１に記載の画像処理装置。
【請求項３】
画像入力装置から入力された画像信号に対して色バランス調整を行う色バランス調整処理手段と、光源色度データを保持する光源色度データ保持手段を有する画像処理装置と、該画像処理装置から出力される画像信号に基づいて画像を形成する画像形成手段を有し、前記色バランス調整処理手段は、前記画像信号の画像取得時における照明光源の色度を該画像信号から推定し、推定した前記照明光源の色度が前記光源色度データ保持手段に保持されているか否かを確認することで色バランス調整が可能か否かを判定し、色バランス調整が可能であると判定した場合に、推定された前記照明光源の色度に基づいて前記画像信号に対して色バランス調整を行うとともに各画像出力装置に応じた色バランス調整を行っていずれの画像出力装置において出力された画像も“見え”を同じにすることを特徴とする画像形成装置。
【請求項４】
画像入力装置から入力された画像信号に対して色バランス調整を行う色バランス調整処理手段と、光源色度データを保持する光源色度データ保持手段を有する画像処理装置と、該画像処理装置から出力される画像信号に基づいて画像を形成する画像形成手段を有し、前記色バランス調整処理手段は、前記画像信号の画像取得時における照明光源の色度を該画像信号から推定し、推定した前記照明光源の色度が前記光源色度データ保持手段に保持されているか否かを確認することで色バランス調整が可能か否かを判定し、色バランス調整が可能であると判定した場合に、推定された前記照明光源の色度に基づいて、出力する画像信号の所望の観察条件下での色の“見え”に一致させるように、入力された前記画像信号に対して色バランス調整を行うとともに各画像出力装置に応じた色バランス調整を行っていずれの画像出力装置において出力された画像も“見え”を同じにすることを特徴とする画像形成装置。
【請求項５】
画像入力装置から入力された画像信号に対して色バランス調整処理手段で色バランス調整を行う画像処理方法において、光源色度データ保持手段が光源色度データを保持しており、画像入力装置から入力された画像信号から照明光源の色度を推定し、推定した前記照明光源の色度が前記光源色度データ保持手段に保持されているか否かを確認することで色バランス調整が可能か否かを判定し、色バランス調整が可能であると判定した場合に、推定された前記照明光源の色度に基づいて前記画像信号に対して色バランス調整を行うとともに各画像出力装置に応じた色バランス調整を行って画像出力装置に出力し、いずれの画像出力装置において出力された画像も“見え”を同じにすることを特徴とする画像処理方法。
【発明の詳細な説明】
【０００１】
【発明の属する技術分野】
本発明は、画像入力装置から入力された画像信号の色合いを調整する画像処理装置および画像処理方法と、その画像処理装置を搭載した画像形成装置に関するものである。
【０００２】
【従来の技術】
ＣＣＤなどの撮影素子を用いたデジタルスチルカメラ（ＤＳＣ）など、各種の画像入力装置において画像を取得すると、撮影素子やカラーフィルタの経年変化や、被写体に対する照明光源の変化などによって取得された画像の色の“見え”が変化してしまう。このような画像の色の“見え”を、前述のような変化に関わらず、一定にすることが望まれる。そのためには、撮影素子から出力される映像信号を構成する複数の色成分のレベルが、各色成分間でバランスが取られていることが必要である。このような各色成分間のバランスをとるため、色バランス調整処理が行われている。特に、色バランス調整処理の中でも、ホワイトバランス調整については、種々の処理が行われている。
【０００３】
例えば特開平１０−１３６３８９号公報や特開平１０−１３６３９０号公報では、撮影素子の出力（色差信号）の平均値に基づいてホワイトバランス調整を行っている。さらに、高彩度単一被写体の占有面積に影響されない処理も導入されている。しかし、これらの文献に記載されている方法では、測光センサへの入射光強度とＣＣＤ入射光強度が異なる場合、ホワイトバランスが不適切になるという問題がある。また、任意の照明光源固定モードで撮影した場合、その照明光源以外の照明光源で撮影してしまった場合などでは、取得した画像に対して最適なホワイトバランス調整を行うことができない。さらに、ハードウェアで処理するため、当然のことながら、このようなハードウェアを実装していない機種ではホワイトバランス調整ができない。
【０００４】
現在販売されているＤＳＣには、ホワイトバランス調整を自動的に行うオートホワイトバランス（ＡＷＢ）が実装されているものが多い。しかし、ＡＷＢの方式や撮影条件によっては十分な効果を得られない場合がある。また、撮影毎にＤＳＣに搭載されるモニタにおいてホワイトバランスの具合の確認を行う撮影者は少なく、画像出力装置において確認される機会が多い。さらに、このＡＷＢもＤＳＣ内に搭載されている機能であるから、ＡＷＢを搭載していないＤＳＣでは、ホワイトバランス調整ができない。実際、ＡＷＢを搭載していないＤＳＣも広く普及している。
【０００５】
ＤＳＣなどの画像入力装置で取得された画像は、通常、画像処理装置へ入力される。その後、画像出力装置に出力される。画像入力装置で画像を取得するとき（撮影シーン）と、画像出力装置で画像を確認するとき（観察シーン）とでは、被写体や出力画像に対する照明光源の違いがある。そのため、撮影シーンを忠実に再現しても、観察シーンにおける色の“見え”が異なるという現象が発生する。単純な測色的色補正では、このような現象に対応して、所望の色再現を行うことはできない。そこで、観察シーンにおける照明光源を考慮した色変換が必要となる。
【０００６】
【発明が解決しようとする課題】
本発明は、上述した事情に鑑みてなされたもので、画像入力装置によらず画像の取得時の状況に応じた色バランス調整を行うことができ、さらに出力される画像の“見え”に応じた色バランス調整を行うことができる画像処理装置および画像処理方法、画像形成装置を提供することを目的とするものである。
【０００７】
【課題を解決するための手段】
本発明は、画像入力装置から入力された画像信号から、撮影シーンにおける照明光源の色度を推定し、推定した照明光源の色度が光源色度データ保持手段に保持されているか否かを確認することで色バランス調整が可能か否かを判定し、色バランス調整が可能であると判定した場合に、推定された照明光源の色度に基づいて画像信号に対して色バランス調整を行うとともに、各画像出力装置に応じた色バランス調整を行って画像出力装置に出力し、いずれの画像出力装置において出力された画像も“見え”を同じにすることを特徴とするものである。これによって画像入力装置によらず、画像取得時の状況に応じて自動的に色バランス調整を行うことができ、また、どの画像出力装置においても同じ“見え”とすることができる。また、出力する画像信号の所望の観察条件下での色の“見え”に一致させるように、入力された前記画像信号に対して色バランス調整を行うことも特徴とするものである。
【０００８】
【発明の実施の形態】
図１は、本発明の画像処理装置の実施の一形態を示すブロック図である。図中、１は画像入力装置、２は画像処理装置、３は色バランス調整処理部、４は光源色度データ保持部、５は画像出力装置である。画像入力装置１は、例えばＤＳＣなどの画像を取得する装置である。この画像入力装置１は、ホワイトバランス調整機能を有していてもいなくてもよい。画像入力装置１で画像を取得する際には、任意の照明光源のもとでよく、その照明光源を指定する必要はない。画像入力装置１で取得された画像は、画像処理装置２に画像信号として渡される。
【０００９】
画像処理装置２は、画像入力装置１から受け取った画像信号に対して、各種の画像処理を施すことが可能である。画像処理後の画像信号は、画像出力装置５へ渡される。
【００１０】
画像処理装置２は、色バランス調整処理部３および光源色度データ保持部４を有している。色バランス調整処理部３は、画像入力装置１から受け取った画像信号から、画像入力装置１で画像を取得した際（撮影シーン）の照明光源の色度を推定する。そして、推定した撮影シーンの照明光源の色度のデータが、光源色度データ保持部４に保持されているか否かを確認する。これによって推定した撮影シーンの照明光源の色度が妥当か否かを判断する。推定した撮影シーンの照明光源の色度が光源色度データ保持部４に保持されていれば、推定した撮影シーンの照明光源の色度に基づいて、画像信号に対して色バランス調整を行う。さらに、画像出力装置５において出力する画像を観察する際（観察シーン）の条件に合わせて、その観察条件下での色の“見え”に一致させるように色バランス調整を行う。光源色度データ保持部４は、各種の照明光源について、その照明光源下において取得された画像において特徴的な色度データを保持している。
【００１１】
画像出力装置５は、プリンタやモニタなど、画像を利用者に対して提示可能な各種の出力機器を含んでいる。画像出力装置５は、画像処理装置２から渡された画像信号に従って画像を形成し、利用者に提示する。画像処理装置２の色バランス調整処理部３で各画像出力装置５に応じた色バランスが調整されているので、いずれの画像出力装置５において出力された画像も、“見え”は同じになる。
【００１２】
図２は、本発明の実施の一形態における色バランス調整処理部の動作の一例を示す具体的なフローチャートである。Ｓ３１において、画像入力装置１で取得した画像を画像信号として受け取る。ここでは、画像入力装置１から８ｂｉｔのＲＧＢ色空間の画像信号が渡されるものとする。画像入力装置１で取得した画像の画素数をｍ×ｎ画素とし、任意の位置を（ｉ，ｊ）で表すと、８ｂｉｔＲＧＢ色空間の画像の任意の画素データは
【数１】
0003690470.tif 000002
で表される。
【００１３】
次に撮影シーンにおける照明光源の色度を推定する。推定のための色空間を、三刺激値で表されるＸＹＺ色空間とする。それは、ＸＹＺ色空間の画像信号であると、照明光源による色の変化のような、微妙な色変化をとらえやすいことによる。まず、８ｂｉｔＲＧＢ色空間からＸＹＺ色空間への変換を行う。なお、（１）式で表される画素は、ＸＹＺ色空間において
【数２】
0003690470.tif 000003
と表す。
【００１４】
色空間の変換のため、まずＳ３２において、８ｂｉｔＲＧＢ色空間の値（０〜２５５）を０〜１の値に正規化する。この正規化したＲＧＢ色空間をｓＲＧＢ色空間とする。この正規化処理は、
【数３】
0003690470.tif 000004
と表すことができる。次にＳ３３において、Ｓ３２で正規化したｓＲＧＢ色空間からＸＹＺ色空間への変換を行う。この変換処理は、規格に基づいて行うことができる。Ｒ'sRGB，Ｇ'sRGB，Ｂ'sRGB＞０．０３９２８のとき、
【数４】
0003690470.tif 000005
また、Ｒ'sRGB，Ｇ'sRGB，Ｂ'sRGB≦０．０３９２８のとき、
【数５】
0003690470.tif 000006
とすると、
【数６】
0003690470.tif 000007
として、ＸＹＺ色空間の三刺激値を求めることができる。
【００１５】
撮影シーンにおける照明光源の色度を推定するため、Ｓ３４において全画素の平均値（Ｘave ，Ｙave ，Ｚave ）を算出する。全画素数をＮ＝ｍ×ｎとすれば、平均値（Ｘave ，Ｙave ，Ｚave ）は
【数７】
0003690470.tif 000008
で算出できる。さらにＳ３５において、この平均値（Ｘave ，Ｙave ，Ｚave ）をＹave ＝１となるように正規化し、
【数８】
0003690470.tif 000009
により、推定された撮影シーンの照明光源の色度（ＸorgW，ＹorgW，ＺorgW）を得る。これが撮影シーンにおける錐体順応色度（眼のホワイトポイント）となる。
【００１６】
ところで、（７）式のように平均を求めて照明光源の色度を推定すると、撮影シーンにおける画像中に色度分布がある一定の広がりを持たない場合、つまり似たような色が画像中に広い面積で存在する場合、その広い面積の色に平均がシフトしてしまう。そのため、このような場合には（８）式で推定された照明光源の色度は現実と異なる可能性が高い。例えば青空が広がった画像から照明光源の色度を推定すると、青空の青色によって平均値は青色にシフトし、予測した照明光源の色度は青空の影響を受けてしまう。
【００１７】
そこで、推定した照明光源の色度に応じて色バランス調整を行ってもよいか否かを判断するため、Ｓ３６において光源色度データ保持部４に保持させておいた一般的な光源における色度データと比較し、推定した照明光源の色度がこれらの色度データに含まれるか否かを判定する。すなわち、光源色度データ保持部４に保持されている一般的な光源の色度データの集合をＩとするとき、
【数９】
0003690470.tif 000010
を満たすか否かを判定する。推定した照明光源の色度が、光源色度データ保持部４に保持されている色度データに含まれない場合、すなわち（９）式を満たさない場合には、推定した照明光源の色度は、入力された画像信号に対して不適切であったと判断し、以降の処理を行わない。
【００１８】
推定した照明光源の色度が、光源色度データ保持部４に保持されている色度データに含まれていれば、Ｓ３７において、推定した照明光源の色度（ＸorgW，ＹorgW，ＺorgW）を撮影シーンにおける白色点とし、色バランス調整を行う。それとともに、観察シーンにおける色バランス調整処理を行う。
【００１９】
観察シーンにおける色バランス調整処理を行うためには、画像出力装置５における“見え”、例えば白色点の色度を予め与えておく必要がある。予め与えられた色度に対して、画像の色バランスを合わせるように調整処理を行う。このような“見え”の処理は、視覚特性を反映しやすいＬ* ａ* ｂ* 均等色空間において考えるとよい。撮影シーンにおける照明光源を考慮した色バランス調整後のＬ* ａ* ｂ* 均等色空間の色度を（Ｌ*org(i,j) ，ａ*org(i,j) ，ｂ*org(i,j) ）とすれば、この色度は、
【数１０】
0003690470.tif 000011
により得られる。得られた色度は、撮影シーンにおける照明光源に対応した色バランス調整処理を行った場合の各画素のＬ* ａ* ｂ* 均等色空間における色度である。
【００２０】
一方、観察シーンにおける参照白色点の色度を（ＸrepW，ＹrepW，ＺrepW）とする。この場合も、観察シーンにおける参照白色点のＬ* ａ* ｂ* 均等色空間における色度をＬ*rep(i,j) ，ａ*rep(i,j) ，ｂ*rep(i,j) ）とすれば、この色度は、
【数１１】
0003690470.tif 000012
により得られる。
【００２１】
撮影シーンにおける照明光源の色度で色バランス調整処理を行った画像信号の色と、観察シーンにおける画像の色の“見え”を一致させることは、Ｌ* ａ* ｂ* 均等色空間において
【数１２】
0003690470.tif 000013
が成り立つことである。ここでは仮に、輝度成分を一定にして処理を行うものとすれば、
【数１３】
0003690470.tif 000014
である。
【００２２】
いま、定数Ｑ(i,j) およびＱ'(i,j)を
【数１４】
0003690470.tif 000015
【数１５】
0003690470.tif 000016
と置くと、（１０）式、（１１）式よりａ* に関しては
【数１６】
0003690470.tif 000017
が成り立つ。これを解くと、
【数１７】
0003690470.tif 000018
【数１８】
0003690470.tif 000019
となる。ｂ* についても同様に解くと、
【数１９】
0003690470.tif 000020
となる。（１３）式、（１８）式、（１９）式をまとめると、
【数２０】
0003690470.tif 000021
となる。
【００２３】
この（２０）式は、撮影シーンにおいて推定した照明光源の色度（ＸorgW，ＹorgW，ＺorgW）と、観察シーンにおける参照白色点の色度（ＸrepW，ＹrepW，ＺrepW）とを考慮し、Ｌ* ａ* ｂ* 均等色空間において“見え”を一致させた変換式である。すなわち、この式に基づいて色変換を行うことにより、撮影シーンにおける照明光源の影響と、観察シーンにおける観察条件による色変化をともに考慮した色バランス調整処理を行うことができる。このようにして、どのような環境下で取得された画像でも、また、どのような観察条件下でも、同じ“見え”を観察者に対して提供することができる。
【００２４】
上述のようにして色バランス調整処理が施された画像信号は、ＸＹＺ色空間における色度である。もし、出力する画像信号の色空間として、他の色空間の方が都合がよければ、その色空間への変換処理を行えばよい。例えば画像出力装置５がＸＹＺ色空間以外の色空間の画像信号を要求している場合には、その画像出力装置５が要求する色空間への変換処理を行えばよい。
【００２５】
ここでは一例として、他のアプリケーションに対して入力が可能なように、再び８ｂｉｔＲＧＢ色空間の画像信号に変換する例を示す。この変換処理は、上述の（３）〜（６）式で示した変換過程の逆変換を行えばよい。まず、ＸＹＺ色空間からｓＲＧＢ色空間への変換は、
【数２１】
0003690470.tif 000022
によって変換後、Ｒ'sRGB，Ｇ'sRGB，Ｂ'sRGB＞０．０３９２８のとき、
【数２２】
0003690470.tif 000023
Ｒ'sRGB，Ｇ'sRGB，Ｂ'sRGB≦０．０３９２８のとき、
【数２３】
0003690470.tif 000024
として変換できる。最後に
【数２４】
0003690470.tif 000025
により、０〜１の正規化された値を０〜２５５の値に戻し、８ｂｉｔＲＧＢ色空間の画像信号を得ることができる。もちろん、他の色空間への変換も可能である。
【００２６】
なお、観察シーンが特定されない場合には、撮影シーンにおける照明光源の影響を除去するための色バランス調整処理のみを行ってもよい。この場合、例えば上述の（１０）式によって、撮影シーンにおいて推定した照明光源の色度に応じた色バランス調整処理を行い、Ｌ* ａ* ｂ* 均等色空間における処理後の画像信号を得ることができる。その後、出力画像信号として所望される色空間への変換処理を行えばよい。もちろん、Ｌ* ａ* ｂ* 均等色空間のまま画像信号を出力してもよい。
【００２７】
図３は、本発明の画像形成装置の実施の一形態を示すブロック図である。図中、１１は画像入力装置、１２はコンピュータ、１３は画像形成装置、１４は色バランス調整処理部、１５は光源色度データ保持部、１６は画像形成部である。この実施の形態では、色バランス調整処理部１４および光源色度データ保持部１５を画像形成装置１３内に設けた例を示している。なお、色バランス調整処理部１４および光源色度データ保持部１５は、上述の色バランス調整処理部３および光源色度データ保持部４と同じものである。
【００２８】
画像入力装置１１は、例えばＤＳＣなどの画像を取得する装置である。この画像入力装置１１は、ホワイトバランス調整機能を有していてもいなくてもよい。画像入力装置１１で画像を取得する際には、任意の照明光源のもとでよく、その照明光源を指定する必要はない。画像入力装置１１で取得された画像は、一旦、コンピュータ１２に取り込まれた後、コンピュータ１２から画像形成装置１３に渡される。このときのコンピュータ１２は、１台に限らず、複数台のコンピュータがネットワークで接続されたコンピュータシステムであってよい。あるいは、画像入力装置１から直接、画像形成装置１３に入力されてもよい。
【００２９】
画像形成装置１３に入力された画像信号は、上述の画像処理装置の実施の一形態の場合と同様にして、色バランス調整処理部１４において光源色度データ保持部１５を用いながら、撮影シーンにおける照明光源の影響と、観察シーンにおける観察条件による色変化とを考慮した色バランス調整処理を行う。色バランス調整処理が施された画像信号は、他の各種の画像処理が施された後、画像形成部１６において被記録媒体に画像として形成される。
【００３０】
被記録媒体上に形成された画像は、画像入力装置１１における照明光源の影響が排除されており、また、被記録媒体上の画像の“見え”を考慮して色バランスを調整しているので、どのような環境下で取得された画像でも、同じ“見え”を観察者に対して提供することができる。
【００３１】
図４は、本発明の画像処理装置または画像形成装置を適用可能なシステムの一例を示す構成図である。図中、２１はＤＳＣ、２２は被写体、２３は照明光源、２４はインタフェースカード、２５はクライアントコンピュータ、２６はネットワーク、２７はプリンタサーバ、２８はプリンタ、２９は印刷物である。
【００３２】
このシステムでは、クライアントコンピュータ２５の通信ポートに画像入力装置の一つであるＤＳＣ２１が接続されている。ＤＳＣ２１は、照明光源２３によって照明された被写体２２を撮影し、取得した画像信号をクライアントコンピュータ２５に入力する。あるいは、例えばクライアントコンピュータ２５がラップトップ型のコンピュータなどの場合には、ＰＣＭＣＩＡなどのインタフェースカード２４を介して入力してもよい。もちろん、他の方法で入力してもよい。また、画像入力装置はＤＳＣ２１に限られるものではない。
【００３３】
クライアントコンピュータ２５に入力された画像信号は、必要に応じて各種のアプリケーションによる画像処理が施される。利用者が入力された画像を表示させる指示を行えば、クライアントコンピュータ２５のモニタに画像を表示させることができる。また、利用者から印刷の指示がなされると、画像信号をネットワーク２６を介してプリンタサーバ２７に送る。
【００３４】
プリンタサーバ２７は、多くのクライアントコンピュータからネットワーク２６を介して送られてくる印刷指示および印刷するデータを受け取り、プリンタ２８に被記録媒体への画像の形成を指示する。クライアントコンピュータ２５から画像の形成が指示されると、送られてきた画像信号をプリンタ２８に転送する。プリンタ２８は、転送されてきた画像信号に基づいて被記録媒体上に画像を形成し、印刷物２９が得られる。
【００３５】
このようなシステムにおいて、ＤＳＣ２１で被写体２２を撮影する際に、ＤＳＣ２１内部のＣＣＤに到達する光は、同じ被写体２２を撮影しても、それを照明する照明光源２３が異なると被写体の測色値が異なる。そのため、照明光源２３の変化に応じて、取得した画像の色バランス調整が必要となる。また、取得した画像をモニタに表示させる場合と、プリンタ２８から印刷物２９として画像を形成する場合とでは、画像の“見え”が異なる。どのような照明光源のもとで取得された画像でも、いずれの画像出力装置で同じ“見え”の画像として利用者に提供するためには、撮影シーンにおける照明光源２３の影響および各画像出力装置における“見え”を考慮した色バランス調整が必要となる。
【００３６】
例えば、図１に示した本発明の画像処理装置をクライアントコンピュータ２５に組み込むことができる。これによって、ＤＳＣ２１で取得された画像の照明光源２３の影響を排除するとともに、画像出力装置として付属のモニタに表示させるのか、あるいはプリンタ２８によって印刷するのかに応じた“見え”の違いを排除するように、色バランス調整を行うことができる。これによって、どのような照明光源２３のもとで取得された画像であっても、その照明光源２３の影響を排除した画像をモニタに表示させたり、あるいは印刷物２９として得ることができる。このとき、モニタに表示された画像も、印刷物２９も、同じ“見え”となる。
【００３７】
あるいは、プリンタサーバ２７に図１に示した本発明の画像処理装置を組み込むこともできる。この場合、ネットワーク２６で接続されている多数のクライアントコンピュータから送られてくる、印刷すべき画像に対して、上述のような色バランス調整処理を行うことができる。印刷すべき画像を送信するクライアントコンピュータ２５側では、例えばプリンタが複数台備えられているシステムでも、どのようなプリンタに印刷されるかを意識することなく印刷の依頼をプリンタサーバ２７に行うことができる。印刷物２９の“見え”は、プリンタサーバ２７において保証される。
【００３８】
さらに、プリンタ２８として図３に示した本発明の画像形成装置を適用することも可能である。これによって、クライアントコンピュータ２５やプリンタサーバ２７に負担をかけることなく、画像形成時に色バランス調整を行って印刷物２９を出力することができる。
【００３９】
【発明の効果】
以上の説明から明らかなように、本発明によれば、画像入力装置で取得された画像信号を画像出力装置により出力する過程において、画像入力装置の違いによらず画像取得時の照明光源の違いを考慮して適切な色バランス調整を行うので、画像取得時に照明光源が異なっていても良好な色再現を実現することができる。さらに、画像出力時の“見え”を考慮した色バランス調整を行うことによって、いろいろな観察条件下でも同じ“見え”を観察者に与えることができるという効果がある。
【図面の簡単な説明】
【図１】  本発明の画像処理装置の実施の一形態を示すブロック図である。
【図２】  本発明の実施の一形態における色バランス調整処理部の動作の一例を示す具体的なフローチャートである。
【図３】  本発明の画像形成装置の実施の一形態を示すブロック図である。
【図４】  本発明の画像処理装置または画像形成装置を適用可能なシステムの一例を示す構成図である。
【符号の説明】
１…画像入力装置、２…画像処理装置、３…色バランス調整処理部、４…光源色度データ保持部、５…画像出力装置、１１…画像入力装置、１２…コンピュータ、１３…画像形成装置、１４…色バランス調整処理部、１５…光源色度データ保持部、１６…画像形成部、２１…ＤＳＣ、２２…被写体、２３…照明光源、２４…インタフェースカード、２５…クライアントコンピュータ、２６…ネットワーク、２７…プリンタサーバ、２８…プリンタ、２９…印刷物。
【図１】
0003690470.tif 000026
【図２】
0003690470.tif 000027
【図３】
0003690470.tif 000028
【図４】
0003690470.tif 000029